(57)【要約】【課題】仮設構造物の床板を木製の切板で構成したときに、番線を使用して固定すると番線が比較的容易に伸びてしまうため、番線が飛び出して引っ掛かり易くなるだけでなく、交換作業が頻繁に必要となっている。【解決手段】上下方向に対向して互いに逆ネジ関係の二つの雌ネジ部５、７を備えた中継体３と、両端に中継体３の雌ネジ部５に螺合する雄ネジ部１１と掛止部１３を備えたシャフト部９と、両端に中継体３の雌ネジ部７に螺合する雄ネジ部１７と掛止部１９を備えたシャフト部１５と、当接板２３と、吊架板２５と、孔部２７を備えた取付け体２１とで構成された床板固定具１。中継体３にシャフト部９、１５が螺合されて軸状になっており、中継体３を回転することで、長さを調整できる。別体の取付け体２１を利用することで、切板２９側には孔を形成する必要がない。【選択図】  図６
2018009412.tif 000002
【特許請求の範囲】
【請求項１】
仮設構造物の床板を構成する敷設された切板の固定具であって、
上下方向に対向して互いに逆ネジ関係の二つの雌ネジ部を備えた中継体と、
両端に前記中継体の雌ネジ部に螺合する雄ネジ部とフック状掛止部をそれぞれ備えたシャフト部を二組と、
当接板と、前記当接板の当接側の板面に取付けられた掛止部用吊架部を備えた取付け体とで構成され、
前記中継体の二つの雌ネジ部に前記二組のシャフト部のそれぞれの雄ネジ部が上側と下側から螺合して連結されて一体化され、前記取付け体の当接板が二枚の隣り合う切板の上側の板面に跨るよう上側から当てたときに、その二枚の切板の隙間から突出する前記掛止部用吊架部に、前記上側のシャフト部の掛止部が吊架され、前記下側のシャフト部の掛止部が前記仮設構造物の骨組構造体側の部材に吊架されて、ネジ締めによる緊張下で前記切板どうしが連結されると共に、前記骨組構造体側に固定されることを特徴とする仮設構造物の床板固定具。
【請求項２】
請求項１に記載した仮設構造物の床板固定具において、
取付け体の掛止部用吊架部は、吊架板と、前記吊架板に形成された孔部とで構成されており、当接体に対して板厚側が当接固定されて、板厚側視でＴ字状または逆Ｌ字状をなしていることを特徴とする床板固定具。
【請求項３】
請求項１または２に記載した仮設構造物の床板固定具において、
下側のシャフト部の掛止部は、吊架側の部材の外形に対応して抱込み形状になっていることを特徴とする床板固定具。
【請求項４】
請求項１から３のいずれかに記載した仮設構造物の床板固定具において、
上側のシャフト部の掛止部は、閉じて環状にすることが可能になっていることを特徴とする床板固定具。
【発明の詳細な説明】
【技術分野】
【０００１】
本発明は仮設構造物の床板固定用具に係り、特に構台の床板の固定に適した固定用具に関するものである。
【背景技術】
【０００２】
仮設構造物の一つである構台は、仮設の支柱、床等によりある程度の高さに構成された設備であり、仮設道路や、部材の集積や建設機械等の作業台や足場台として利用されている。
特許文献１に示すものは一例であり、左右及び前後方向に所定の間隔を開けて多数の支柱が並列した配置で立設されており、その隣り合う支柱間を横架材が繋いでいる。横架材は上下方向に間隔を開けて複数配置されており、隣り合う支柱と横架材とで四角形の枠組みが形成され、更に、この四角形の枠組みの対角部間に筋交いが掛け渡される。このような組み合わせで、骨組構造体が構築されている。
【先行技術文献】
【特許文献】
【０００３】
【特許文献１】特開２０１１−３８３５２号公報
【特許文献２】特開２０１６−２３４１０号公報
【発明の概要】
【発明が解決しようとする課題】
【０００４】
支柱の上部側では、大引材が掛け渡され、その上に根太材が架設されて、大引材と根太材とが格子状に配置されており、根太材上に床板材が敷設されて、最上面となる部分に床板が構築されている。この床板材は、二層構造で下側が木板で上側が鉄板で構成されており、最上面を鉄板で構成することで、キャタピラ車や大型ダンプのような重量車両が走行しても床板が強度的に耐え得るようになっている。
【０００５】
而して、足場台や２トン、３トントラックのような車両が走行する仮設道路までは、強度的には木板で十分に対応できることから、最近では、鉄板を敷設せずに済ませようとする傾向がある。
しかしながら、床板材は切板を並べただけになっているので、軽量な木製の切板だけで最上面を構成するとなると、車両が走行したり、下方からの風にあおられたりしたときに、捲れあがってズレてしまう恐れがある。
そのため、通常は、切板に孔をあけておき、そこに番線を通して支柱や横架材と結束固定しているが、番線は比較的容易に伸びてしまい、番線が飛び出すと引っ掛かり易くなって走行の邪魔になるので、番線の交換作業が頻繁に必要となっている。
【０００６】
ところで、車両走行用の床板材として鉄製の切板を敷設する場合であっても、安全率を高めるために固定する場合があり、そのような場合従来は溶接によって固定していたが、本発明者は、先に、特許文献２で、溶接によらずに固定することを可能にするために、特殊な固定用具の利用を提案しているが、この固定用具は鉄板側にネジ孔を設けることが前提となっており、木製の切板に応用することはできない。
【０００７】
本発明は上記従来の問題点に着目して為されたものであり、上記した固定用具に更に工夫を凝らし、仮設構造物の床板を木製の切板で構成したときに、番線に代わってその床板を固定するのに適した固定用具を提供することを、その目的とする。
【課題を解決するための手段】
【０００８】
本発明は上記課題を解決するためになされたものであり、請求項１の発明は、仮設構造物の床板を構成する敷設された切板の固定具であって、上下方向に対向して互いに逆ネジ関係の二つの雌ネジ部を備えた中継体と、両端に前記中継体の雌ネジ部に螺合する雄ネジ部とフック状掛止部をそれぞれ備えたシャフト部を二組と、当接板と、前記当接板の当接側の板面に取付けられた掛止部用吊架部を備えた取付け体とで構成され、前記中継体の二つの雌ネジ部に前記二組のシャフト部のそれぞれの雄ネジ部が上側と下側から螺合して連結されて一体化され、前記取付け体の当接板が二枚の隣り合う切板の上側の板面に跨るよう上側から当てたときに、その二枚の切板の隙間から突出する前記掛止部用吊架部に、前記上側のシャフト部の掛止部が吊架され、前記下側のシャフト部の掛止部が前記仮設構造物の骨組構造体側の部材に吊架されて、ネジ締めによる緊張下で前記切板どうしが連結されると共に、前記骨組構造体側に固定されることを特徴とする仮設構造物の床板固定具である。
【０００９】
請求項２の発明は、請求項１に記載した仮設構造物の床板固定具において、取付け体の掛止部用吊架部は、吊架板と、前記吊架板に形成された孔部とで構成されており、当接体に対して板厚側が当接固定されて、板厚側視でＴ字状または逆Ｌ字状をなしていることを特徴とする床板固定具である。
【００１０】
請求項３の発明は、請求項１または２に記載した仮設構造物の床板固定具において、下側のシャフト部の掛止部は、吊架側の部材の外形に対応して抱込み形状になっていることを特徴とする床板固定具である。
【００１１】
請求項４の発明は、請求項１から３のいずれかに記載した仮設構造物の床板固定具において、上側のシャフト部の掛止部は、閉じて環状にすることが可能になっていることを特徴とする床板固定具である。
【発明の効果】
【００１２】
本発明の床板固定具を使用すれば、仮設構造物の床板を木製の切板だけで構成し、その上に鉄板を載せない場合でも、切板や仮設構造物の骨組構造体側に特別な細工をすることなく、簡単にしかも強固に固定できる。
また、本発明の床板固定具は、その構造上、上記切板の種類は特に限定されず、鉄製の切板を固定する場合にも、更にはパネルを固定する場合にも適用できる。
【図面の簡単な説明】
【００１３】
【図１】本発明の実施の形態に係る仮設構造物の床板固定具の斜視図である。
【図２】図１の床板固定具を使用した固定状態の説明図である。
【図３】図２の固定状態を利用した構台の上面図である。
【図４】図３のＡ−Ａ横断図である。
【図５】図４と直角方向の一部断面図である。
【図６】図１と別の使い方を示す図である。
【発明を実施するための形態】
【００１４】
本発明の実施の形態に係る床板固定具１の構成を、図１にしたがって説明する。
この床板固定具１は、鋼製になっている。
符号３は中継体を示す。この中継体３は細長い長円状の環を成しており、中間部は平行になっている。この中間部の幅はそれ程大きくはなく、片手で十分に把持できるようになっている。また、長軸方向両端部は幾分か肉厚になっており、そこにはそれぞれネジ孔が形成されて雌ネジ部５、７になっている。この雌ネジ部５、７は同軸状に位置決めされて上下に対向している。更に、雌ネジ部５と雌ネジ部７は互いに逆ネジの関係を作っている。
【００１５】
符号９、１５はシャフト部を示す。このシャフト部９、１５は中継体３を挟んで上下に配置されており、シャフト部９が上側に、シャフト部１５が下側に位置されている。
シャフト部９の軸方向下端側の外周面はネジが形成されて雄ネジ部１１になっており、上端側は曲げられてフック状の掛止部１３になっている。この雄ネジ部１１は上記した中継体３の雌ネジ部５に螺合するよう形成されている。従って、シャフト部９の雄ネジ部１１が中継体３の雌ネジ部５に上側から差し込まれ、螺合されると、螺進退が可能になる。
シャフト部１５もシャフト部９と同じように、但し上下逆に構成されており、シャフト部１５の軸方向上端側は雄ネジ部１７になっており、下端側はフック状の掛止部１９になっている。従って、シャフト部１５の雄ネジ部１７が中継体３の雌ネジ部７に下側から差し込まれ、螺合されると、螺進退が可能になる。
【００１６】
上記したように、中継体３には、上側からシャフト部９が連結され、下側からシャフト部１５が連結されて軸状になっている。中継体３の環内の上下寸法は、シャフト部９、１５の雄ネジ部１１、１７の長さ寸法に対して十分に長く設定されているので、両方が中継体３の環内に最大限入り込んだときでも、当たることはない。
上記した逆ネジの関係により、シャフト部９、１５に対して、中継体３をその長軸方向を軸方向として軸周りに回転させると、両方のシャフト部９、１５の中継体３の環内への進退が連動して起こり、シャフト部９の雄ネジ部１１が中継体３の環内に退行するときは、シャフト部１５の雄ネジ部１７も中継体３の環内に退行し、シャフト部９の雄ネジ部１１が中継体３の環外に進行するときは、シャフト部１５の雄ネジ部１７も中継体３の環外に進行する。
【００１７】
符号２１は取付け体を示し、この取付け体２１は二枚の薄板材で構成されている。上側の四角の板材は当接板２３になっている。この当接板２３は正方形に近い長方形になっており、長手寸法と短手寸法の差は大きくない。
当接板２３の下面に吊架板２５が溶接固定されている。この吊架板２５は全体として長方形状になっているが、一方の短手縁側は丸みが付けられて半円弧状の縁部２６になっている。この円弧状縁部２６側に丸い孔部２７が貫通形成されている。この孔部２７は上記したシャフト部９の掛止部１３が掛止し易いように大きさや位置が調整されている。
【００１８】
吊架板２５は、両板面が左右方向を向き、円弧状縁部２６が下方を向いた状態で、その上端の板厚部分が、当接板２３の長手方向中心線に重ねて固定されている。吊架板２５は当接板２３の縁部内に収められており、外方にははみ出していない。
吊架板２５と当接板２３は板面どうしが垂直に交差しており、吊架板２５を左右方向の板厚部分から見ると、取付け体２１はＴ字状をなしている。
【００１９】
床板固定具１は上記したように構成されており、図２に示すように並べられた切板２９を固定するのに利用される。
この切板２９は木製になっており、図３〜図５に示す構台３１の一部を構成している。いずれも、固定具１の使用状態が示されており、図３では上面図が、図４ではそのＡ−Ａ断面図が、図５では図４と直角方向の一部断面図が示されている。
この構台３１は、左右及び前後方向に所定の間隔を開けて多数の支柱３３、３３、……が並列した配置で立設されている。その隣り合う支柱３３、３３どうしを横架材としてのパイプ３５がパイプ固定金具３７を介して繋いでいる。パイプ３５は上下方向に間隔を開けて複数配置されており、隣り合う支柱３３、３３とパイプ３５、３５とで四角形の枠組みが形成され、更に、この枠組みの対角部間には筋交い（図示省略）が架け渡されており、支柱３３、パイプ３５、筋交いの組み合わせで骨組構造体が構築されている。
【００２０】
この骨組構造体の支柱３３の上部側では、大引材固定金具３９を介して固定された状態で大引材４１が支柱３３間に掛け渡され、その上には根太材４３が架設されており、大引材４１と根太材４３とが上面視格子状に配置されている。そして、根太材４３上に、床板材としての切板２９が並べられている。図３に示すように、縦横に配置されており、切板２９の両方の短辺縁が根太材４３、４３に両持ち支持された状態になっている。隣り合った切板２９、２９どうしの間には小さな隙間４５があけられている。
床板固定具１は、この隣り合って並べられた切板２９、２９どうしを連結すると共に、パイプ３５に対して、以下の手順で固定するようになっている。
【００２１】
シャフト部９〜中継体３〜シャフト部１５は螺合により軸状に一体化して、両端が掛止部１３、１９になった状態にしておく。この状態になったものを、説明の便宜のために、連結シャフト４７とする。
そして、切板２９、２９どうしの間の隙間４５に取付け体２１の吊架板２５を円弧状縁部２６側から差し込む。吊架板２５は隙間４５に入り込んでいき、当接板２３の下面が切板２９の上面に当接する。このとき、当接板２３は、隙間４５を挟んで両側の切板２９、２９の上面に跨った状態となっている。また、吊架板２５の円弧状縁部２６側は、隙間４５から抜け出て切板２９、２９の下面より突出する。
【００２２】
この下方に突出した吊架板２５の孔部２７に、シャフト部９の掛止部１３を差し込んで掛止させると共に、支柱３３側に横架されているパイプ３５を、シャフト部１５の掛止部１９に下側から抱き込ませる。
連結シャフト４７は中継部３を回転することで長さを調整できるので、上記した掛止部１３、１９の掛止めは容易にできる。
その後、連結シャフト４７を縮めて緊張させると、図４、図５に示すように、切板２９、２９が根太材４３側に押し付けられて固定される。
連結シャフト４７を伸ばせば緊張は解除されるので、床板固定具１は容易に取り外すことができ、構台３１を分解する際にも作業負担が少ない。
【００２３】
なお、床板固定具１は、図３に示すように、二枚の切板２９、２９に跨るように取付けるだけでなく、四枚の切板２９、２９、２９、２９に跨るように取付けることもできる。
この床板固定具１を使用して固定すれば、隙間４５を上手く利用して複数の切板２９を同時に効率良く固定することができる。
【００２４】
また、取付け体２１に代えて、図５の拡大斜視図に示すように、当接板２３のサイズを半分にした当接板４９を使用し、吊架板２５をその縁部に逆Ｌ字状に固定した取付け体５１を利用することもできる。
この取付け体５１を、床板の縁部側に配置された切板２９に対して取付ければ、金具が外方に突出せずに済む。二枚の切板２９、２９を連結する場合だけでなく、一枚の切板２９に単独で取付けることも可能である。
取付け体５１を併用することで、床板の縁部側に配置された切板２９を含めて、全ての切板２９を複数の箇所で固定して捲れあがりを確実に阻止することが可能となっている。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では大引材は固定金具により支柱側に固定されているが、支柱に大引受を取付け、そこに単純に載せただけの場合もあり、そのような場合には、大引材も併せて固定されることになる。
【００２６】
また、床板固定具１は、以下のような使い方もある。
図６のように、取付け体２１の孔部２７にシャフト部９の掛止部１３を掛止させた後塑性加工によりフックの開放部分を閉じて環状体５３にしておき、他方のシャフト部１５は中継体３と螺合させておく。すなわち、床板固定具１を、（取付け体２１〜シャフト部９）と、（中継体３〜シャフト部１５）に分離しておく。
その上で、取付け体２１を切板２９に対して取付けていき、シャフト部１５をパイプ３５に掛止した後に、シャフト部９と中継体３とを連結（螺合）するようにする。
シャフト部９と中継体３の連結（螺合）の方が、取付け体２１とシャフト部９の連結（掛止）よりも、作業し易い。また、シャフト部９の掛止部１３は閉じた環状体５３になっているので、上記の作業中にシャフト部９が取付け体２１から外れることはない。
【００２７】
切板２９を全て敷設し終えた後に、床板固定具１を取付けるような場合、例えば、床板固定具１を交換するような場合には、中継体３の挿通できるような隙間４５は無いので、図１に示すように、（取付け体２１）と、（シャフト部９〜中継体３〜シャフト部１５）に分離しておくことになる。
しかしながら、通常は、固定基準箇所から順番に切板２９を敷設していくので、すなわち片側端から順番に切板２９を敷設していくので、切板２９を敷設する合間に取付け体２１をシャフト部９を繋げた状態で取付けていくことができ、中継体３を取付け体２１側に連結させた状態で取付け体２１の設置作業を進めることができる。
【産業上の利用可能性】
【００２８】
構台の製造業、土木工事業及び建設業等に利用可能性を有する。
【符号の説明】
【００２９】
１…床板固定具            ３…中継体              ５、７…雌ネジ部
９、１５…シャフト部    １１、１７…雄ネジ部    １３、１９…掛止部
２１…取付け体            ２３…当接体            ２５…吊架板
２６…円弧状縁部          ２７…孔部              ２９…切板
３１…構台                ３３…支柱              ３５…パイプ
３７、３９…固定金具      ４１…大引材            ４３…根太材
４５…隙間                ４７…連結シャフト      ４９…当接板
５１…取付け体            ５３…環状体
【図１】
2018009412.tif 000003
【図２】
2018009412.tif 000004
【図３】
2018009412.tif 000005
【図４】
2018009412.tif 000006
【図５】
2018009412.tif 000007
【図６】
2018009412.tif 000008